(57)【要約】【課題】フィルタ部材及びフィルタカバーを外した状態での送風方向と直交する方向への薄型化を可能として、設置自由度の向上を図ることができる除電装置を提供する。【解決手段】ハウジング１３の吸気口１３ａには、該吸気口１３ａへの作業者の指の侵入を防ぐための仕切り板３１が形成され、ハウジング１３における吸気口１３ａが形成された壁面１１ａには、吸気口１３ａを覆って塵埃の侵入を抑制するためのフィルタ部材１６及び該フィルタ部材１６を保持するためのフィルタカバー１７が着脱可能に設けられるとともに、該壁面１１ａは、フィルタ部材１６及びフィルタカバー１７を外した状態において、その面全体が面一となるように構成される。【選択図】図２
2011113955.tif 000002
【特許請求の範囲】
【請求項１】
吸気口、及び該吸気口と直交する方向に開口した送風口を有するハウジングと、
前記ハウジング内に収容され前記吸気口を介して一方の空気を吸引し、その吸引した方向と直交する方向に前記送風口を介して空気を吹き出すためのシロッコファンと
を備え、イオン発生部により生じたイオンを前記シロッコファンにより送風する除電装置であって、
前記ハウジングの吸気口には、該吸気口への作業者の指の侵入を防ぐための仕切り板が形成され、
前記ハウジングにおける前記吸気口が形成された壁面には、前記吸気口を覆って塵埃の侵入を抑制するためのフィルタ部材及び該フィルタ部材を保持するためのフィルタカバーが着脱可能に設けられるとともに、該壁面は、前記フィルタ部材及び前記フィルタ部材を外した状態において、その面全体が面一となるように構成されたことを特徴とする除電装置。
【請求項２】
請求項１に記載の除電装置において、
前記ハウジングの前記吸気口が形成された壁面には、該吸気口の吸気方向に窪むハウジング側係合部が形成され、
前記フィルタカバーは、前記ハウジング側係合部に挿入されて該ハウジング側係合部と係合する挿入係合部を有するとともに、その挿入係合部と前記ハウジング側係合部との係合により前記ハウジングに固定され、
前記ハウジング側係合部及び前記挿入係合部は、それらの一部が前記シロッコファンの前記吸気口側に開口する凹部に入り込むように構成されたことを特徴とする除電装置。
【請求項３】
請求項２に記載の除電装置において、
前記ハウジング側係合部及び前記挿入係合部は、前記シロッコファンの回転中心軸上に設けられたことを特徴とする除電装置。
【請求項４】
請求項１〜３のいずれか１項に記載の除電装置において、
前記フィルタカバーは、前記ハウジングに対して該ハウジングから取り外し可能な解除位置に組み付けた後、前記ハウジングから脱落可能な固定位置に移動させることで固定されるとともに、前記固定位置から前記解除位置に移動させた後に前記ハウジングから取り外すように構成され、
前記フィルタカバーには、前記固定位置及び前記解除位置で前記仕切り板と干渉して前記フィルタカバーの前記固定位置よりも反解除位置側への移動及び前記解除位置よりも反固定位置側への移動を規制する係合突起部が設けられたことを特徴とする除電装置。
【発明の詳細な説明】
【技術分野】
【０００１】
本発明は、シロッコファンタイプの除電装置に関するものである。
【背景技術】
【０００２】
従来、電子部品等への塵埃の付着を防止すべく、電子部品等の製造ラインや作業台等には静電気を除去するための除電装置が固定される。除電装置は、高電圧を放電針に印加することでコロナ放電を発生させ、それにより生じるイオンをファンによる空気流に乗せて送風するようになっており、このような除電装置に用いられるファンとしては、一方の空気を吸引しつつ吸引した方向と直交する方向に空気を吹き出すシロッコファンを用いたタイプのものが知られている（例えば、特許文献１参照）。
【０００３】
製造ラインや作業台等に用いられる除電装置では、例えば、搬送ベルトで対象物を搬送しつつ、複数の加工作業を行うために、加工装置が並設されている場合、その加工装置間に除電装置を配置するときには、装置自体がかなり大型のもので除電装置のために、その加工装置等のレイアウトを変更して対応するよりも、既存の隙間（装置間や装置自体の隙間）に設置したいとの要望がある。そのため、除電装置は、ファンによるイオンの送風方向と直交する方向において、出来る限り薄型であることが望ましい。そこで、特許文献１のようなシロッコファンタイプの除電装置は、吸気方向がシロッコファンの回転方向と直交する回転軸方向であるため、吸気方向と送風方向が一致しているタイプの除電装置に比べて吸気方向（送風方向と直交する方向）において薄型にすることが可能であり、製造ライン上の既存の隙間に配置しやすくなっている。
【０００４】
ところで、このような除電装置は、クリーンルームのように空気のきれいな環境下で使用される場合もあれば、空気の汚れた環境下で使用される場合もある。空気の汚れた環境下で使用される場合には、除電装置に内部に汚れた空気が入り込むことによって内部部品が故障等を生じないように吸気口にフィルタ部材を取り付ける場合がある。フィルタ部材を取り付けた場合には、イオンを送風するファンの送風性能（つまり、除電装置の除電性能）が多少低下してしまうため、フィルタ部材が必要でない場合（空気のきれいな環境下で使用される場合等）には、フィルタ部材を外して使用されることも少なくない。
【先行技術文献】
【特許文献】
【０００５】
【特許文献１】特開２００２−１５１２９３号公報
【発明の概要】
【発明が解決しようとする課題】
【０００６】
ところで、上記のようなフィルタ部材を備える除電装置では、フィルタ部材が取り付けられている状態で薄型であることは当然重要であるが、フィルタ部材を外した状態でも薄型であれば尚良い。しかしながら、このような除電装置では、フィルタ部材をハウジングに保持するためのフィルタカバーが必要となり、また、そのフィルタカバーをハウジングにはフィルタカバーを固定するための構成が必要となる。フィルタカバーを固定する構成としては例えば、ねじで固定する構成や、フィルタカバーをスライドさせてその端部をハウジングに設けたレール状の部分に嵌め込む構成等が考えられる。しかしながら、このような構成の除電装置では、フィルタカバーを固定するための構成の分だけ、除電装置が送風方向と直交する方向（吸気方向と平行な方向）に大型化してしまうため、フィルタ部材及びフィルタカバーを外しても送風方向と直交する方向への薄型化が実現されないといった問題があり、この点での改善が望まれている。
【０００７】
本発明は、上記課題を解決するためになされたものであって、その目的は、フィルタ部材及びフィルタカバーを外した状態での送風方向と直交する方向への薄型化を可能として、設置自由度の向上を図ることができる除電装置を提供することにある。
【課題を解決するための手段】
【０００８】
上記課題を解決するために、請求項１に記載の発明は、吸気口、及び該吸気口と直交する方向に開口した送風口を有するハウジングと、前記ハウジング内に収容され前記吸気口を介して一方の空気を吸引し、その吸引した方向と直交する方向に前記送風口を介して空気を吹き出すためのシロッコファンとを備え、イオン発生部により生じたイオンを前記シロッコファンにより送風する除電装置であって、前記ハウジングの吸気口には、該吸気口への作業者の指の侵入を防ぐための仕切り板が形成され、前記ハウジングにおける前記吸気口が形成された壁面には、前記吸気口を覆って塵埃の侵入を抑制するためのフィルタ部材及び該フィルタ部材を保持するためのフィルタカバーが着脱可能に設けられるとともに、該壁面は、前記フィルタ部材及び前記フィルタ部材を外した状態において、その面全体が面一となるように構成されたことを特徴とする。
【０００９】
この発明では、ハウジングにおける吸気口が形成された壁面全体が面一となるように（送風方向と直交する方向に突出する箇所がないように）形成されるため、フィルタ部材及びフィルタカバーを外した状態で送風方向と直交する方向（吸気方向と平行な方向）への薄型化が可能となる。従って、製造ライン上の加工装置間や加工装置自体の隙間等に、その装置のレイアウトを変更することなく除電装置を配置しやすくなり、設置自由度の向上を図ることができる。また、フィルタ部材及びフィルタカバーを外した状態においては、仕切り板によって吸気口内への作業者の指の侵入を防がれるため、安全に使用することができる。
【００１０】
請求項２に記載の発明は、請求項１に記載の除電装置において、前記ハウジングの前記吸気口が形成された壁面には、該吸気口の吸気方向に貫通する係合孔が形成され、前記フィルタカバーは、前記ハウジング側係合部に挿入されて該ハウジング側係合部と係合する挿入係合部を有するとともに、その挿入係合部と前記ハウジング側係合部との係合により前記ハウジングに固定され、前記ハウジング側係合部及び前記挿入係合部は、それらの一部が前記シロッコファンの前記吸気口側に開口する凹部に入り込むように構成されたことを特徴とする。
【００１１】
この発明では、ハウジングの吸気口が形成された壁面におけるシロッコファンの回転軸上の位置には、フィルタカバーの取り付け用の係合孔が形成される。そして、シロッコファンは、中心部が吸気口側に開口する構成であり、ハウジングの係合孔にフィルタカバーの挿入係合部を係合させた状態において、その係合孔及び挿入係合部の一部がシロッコファンの凹部に入り込むように構成される。これにより、ハウジングの係合孔とフィルタカバーの挿入係合部を備えた構成としつつも、除電装置が送風方向と直交する方向に大型化しない構成とすることができる。また、ハウジング側に係合孔が形成されるため、ハウジングの吸気口が形成された壁面を面一としつつもフィルタカバーの取り付けが可能となる。
【００１２】
請求項３に記載の発明は、請求項２に記載の除電装置において、前記ハウジング側係合部及び前記挿入係合部は、前記シロッコファンの回転中心軸上に設けられたことを特徴とする。
【００１３】
この発明では、シロッコファンの回転中心軸上の凹部に対応する部分にハウジング側係合部及び挿入係合部を配置でき、その結果、除電装置を吸気方向に小型化することが可能となる。
【００１４】
請求項４に記載の発明は、前記フィルタカバーは、前記ハウジングに対して該ハウジングから取り外し可能な解除位置に組み付けた後、前記ハウジングから脱落可能な固定位置に移動させることで固定されるとともに、前記固定位置から前記解除位置に移動させた後に前記ハウジングから取り外すように構成され、前記フィルタカバーには、前記固定位置及び前記解除位置で前記仕切り板と干渉して前記フィルタカバーの前記固定位置よりも反解除位置側への移動及び前記解除位置よりも反固定位置側への移動を規制する係合突起部が設けられたことを特徴とする。
【００１５】
この発明では、フィルタカバーの着脱の際に、そのフィルタカバーの係合突起部が仕切り板と干渉して固定位置又は解除位置でのストッパーとなるため、フィルタカバーを容易に着脱することができる。また、フィルタカバーの係合突起部が仕切り板と干渉するように構成されるため、係合突起部を干渉させるための部位をハウジングに仕切り板とは別に形成する必要がなく、成形が容易となる。
【発明の効果】
【００１６】
従って、上記記載の発明によれば、フィルタ部材及びフィルタカバーを外した状態での送風方向と直交する方向への薄型化を可能として、設置自由度の向上を図ることができる。
【図面の簡単な説明】
【００１７】
【図１】本実施形態の除電装置の斜視図。
【図２】除電装置の分解斜視図。
【図３】（ａ）フィルタ部材及びフィルタカバーを取り付けた状態の除電装置の正面図、（ｂ）フィルタ部材及びフィルタカバーを外した状態の除電装置の正面図。
【図４】除電装置を吸気口側から見た側面図。
【図５】カバー保持部をハウジング内側から見た平面図。
【図６】フィルタカバーの斜視図。
【図７】（ａ）（ｂ）フィルタカバーの取付動作を説明するための説明図。
【図８】（ａ）（ｂ）フィルタカバーの取付動作を説明するための説明図。
【図９】（ａ）（ｂ）（ｃ）フィルタカバーの取付動作を説明するための説明図。
【発明を実施するための形態】
【００１８】
以下、本発明を具体化した一実施形態を図面に従って説明する。
図１及び図２に示すように、本実施形態の除電装置は、絶縁性の樹脂材よりなる第１ケース１１及び第２ケース１２からなるハウジング１３と、ハウジング１３の正面側に着脱可能に取り付けられた放電ユニット１４とを備える。また、本実施形態の除電装置は、ハウジング１３内に設けられたシロッコファン１５と、ハウジング１３の幅方向一側面（図２において手前側の壁面１１ａ）に形成された吸気口１３ａに設けられるフィルタ部材１６と、フィルタ部材１６をハウジング１３に保持するためのフィルタカバー１７とを備える。
【００１９】
ハウジング１３は、略直方体状をなし、その幅方向中央から片側半分が第１ケース１１、もう半分が第２ケース１２にて構成され、各ケース１１，１２が幅方向に組み付けられて構成されている。尚、ハウジング１３の前後方向、幅方向及び上下方向は、それぞれ互いに直交する方向である（図１参照）。各ケース１１，１２の幅方向と直交する壁面１１ａ，１２ａは、互いに平行をなしている。
【００２０】
ハウジング１３の正面側には、放電ユニット１４を取り付けるための取付部１８が形成されている。取付部１８は、ハウジング１３の前後方向と直交する底面部１８ａと、底面部１８ａから前方に突出しハウジング１３の幅方向に対向する一対の側壁部１８ｂと、底面部１８ａから前方に突出し一対の側壁部１８ｂの上端同士を繋ぐ上部１８ｃとを有している。一対の側壁部１８ｂは、第１及び第２ケース１１，１２にそれぞれ形成され、ハウジング１３の幅方向と直交する略平面板状をなしている。尚、一対の側壁部１８ｂは、第１ケース１１の壁面１１ａと第２ケース１２の壁面１２ａに対してそれぞれ面一となるように形成されている。また、取付部１８の底面部１８ａには、ハウジング１３の前後方向に開口する送風口１３ｂが形成されている（図３（ａ）（ｂ）参照）。この送風口１３ｂの開口方向は、前記吸気口１３ａの開口方向（幅方向）と直交するように構成されている。
【００２１】
取付部１８に装着される放電ユニット１４は、ハウジング１３内に設けられた圧電トランス（図示略）と電気的に接続される２つの放電針２１と、該放電針２１と対向する接地電極２３と、放電針２１及び接地電極２３とを保持しハウジング１３の取付部１８に着脱可能に取り付けられた絶縁性の樹脂材よりなるユニットケース２４とを備えている。
【００２２】
ユニットケース２４には、ハウジング１３の前後方向に貫通するイオン放出口２６が形成されており、そのイオン放出口２６内には、ユニットケース２４に保持された放電針２１の先端部（針先）が位置するように構成されている。そして、イオン放出口２６は、前記取付部１８の送風口１３ｂと重なる（連通する）ように構成されている。ユニットケース２４に保持された放電針２１と接地電極２３とは、ハウジング１３の上下方向に所定の間隔を隔てて対向している。尚、放電ユニット１４の取り付け動作（詳しくは、放電ユニット１４の上部１８ｃ側へのスライド移動）により、放電針２１の基端部は、取付部１８の上部１８ｃ内に挿入されて、その内部で前記圧電トランスと電気的に接続されるようになっている。また、接地電極２３は、放電ユニット１４をハウジング１３の取付部１８に装着することで、該取付部１８の底面部１８ａに設けられたグランド用端子（図示略）と電気的に接続されるようになっている。
【００２３】
このような放電ユニット１４では、前記圧電トランスにて発生された高電圧が放電針２１に印加されると、コロナ放電が発生して各放電針２１の先端部の周囲の空気がイオン化される。各放電針２１には互いに等しい電圧が印加されるとともに、その印加する電圧の極性（プラス・マイナス）は周期的に交互に変化するようになっており、これにより、放電針２１の先端部にはプラスイオンとマイナスイオンが交互に発生される。
【００２４】
ハウジング１３内に設けられたシロッコファン１５は、略円筒状のファン部材１５ａと、そのファン部材１５ａを回転駆動するための図示しないモータとがユニット化されたものである。シロッコファン１５は、その吸気口１３ａ側におけるファン部材１５ａの内周部分にハウジング１３の幅方向（吸気方向）に窪む円形凹部１５ｂを有している。また、シロッコファン１５は、フィルタ部材１６の回転により円形凹部１５ｂから吸引された空気を吹き出す吹出部（図示略）を有している。そして、シロッコファン１５は、円形凹部１５ｂがハウジング１３の吸気口１３ａと対応するように、且つ前記吹出部がハウジング１３の送風口１３ｂと対応するようにハウジング１３内に収容保持されている。
【００２５】
シロッコファン１５は、そのフィルタ部材１６が前記モータにて回転駆動されると、第２ケース１２の壁面１２ａの中央に形成された円形の吸気口１３ａを介して円形凹部１５ｂから空気を吸引する。そして、シロッコファン１５は、ハウジング１３の送風口１３ｂ及び放電ユニット１４のイオン放出口２６を介して吸引方向と直交する方向に空気を吹き出すように動作する。即ち、放電ユニット１４にて発生されたイオン（イオン化された空気）は、シロッコファン１５の送風動作にてイオン放出口２６から前方に吹き出されるようになっている。
【００２６】
また、取付部１８の一対の側壁部１８ｂの外面を含む第１及び第２ケース１１，１２の壁面１１ａ，１２ａには、放電針２１の異常放電（スパーク）を抑制するための板状の異常放電抑制部材２７がそれぞれ設けられている（壁面１１ａ側のもののみ図示）。異常放電抑制部材２７は、シール状のものであり、第１及び第２ケース１１，１２の壁面１１ａ，１２ａにそれぞれ形成された取付凹部２８に貼付固定され、その壁面１１ａ，１２ａから幅方向に突出しないように構成されている。この異常放電抑制部材２７は、電位不定状態（電気的にフローティング状態）となるように、即ち、異常放電抑制部材２７は、グランドに直接又は間接的に接続されないように構成されている。これにより、異常放電抑制部材２７の表面に例えば水滴や汚れ等が付着した場合、その付着物の電荷は異常放電抑制部材２７の全体に拡散する（異常放電抑制部材２７により電位が平均化される）ため、異常放電抑制部材２７の設置部位における電位が略均一に保たれやすくなっている。このため、水滴や汚れ等の付着によってハウジング１３（側壁部１８ｂ）の電位が異常放電レベルに達してしまうことが抑制されるようになっている。これにより、放電針２１とユニットケース２４の幅方向側部との間の異常放電が抑制され、その結果、放出するイオンのプラスマイナスのバランス（イオンバランス）が安定し、除電対象物の破損が抑制されるようになっている。
【００２７】
上記のような構成の除電装置において、第１ケース１１の壁面１１ａに形成された吸気口１３ａは、図２及び図４に示すように、幅方向から見て円形をなしている。尚、吸気口１３ａは、その中心がシロッコファン１５の回転中心軸上に位置されるように形成されている。吸気口１３ａには、該吸気口１３ａへの作業者の指の侵入を防ぐための仕切り板３１が形成されている。仕切り板３１は、前後方向に延びる部分（仕切り板３１ａ）と、カバー保持部３２の中心から略放射状に延びる部分（仕切り板３１ｂ）とが互いに交差する形状をなしており、これにより、仕切り板３１全体の剛性が向上されるようになっている。フィルタ部材１６及びフィルタカバー１７を外した状態において、仕切り板３１によって吸気口１３ａ内への作業者の指の侵入を防がれているため、安全に使用することができるようになっている。
【００２８】
吸気口１３ａの中央部には、仕切り板３１により支持されたカバー保持部３２が形成されている。カバー保持部３２は、フィルタカバー１７を保持するためのものである。カバー保持部３２は略円筒状をなし、その中央にはハウジング１３の幅方向に貫通する係合孔３３が形成されている。尚、カバー保持部３２は、ハウジング１３の幅方向において、仕切り板３１よりもハウジング１３の内側に延出されており、そのカバー保持部３２の一部がシロッコファン１５の円形凹部１５ｂに入り込む形状となっている。
【００２９】
図４に示すように、カバー保持部３２の内周面（係合孔３３）におけるハウジング１３の前後方向の両端部にはそれぞれ、第１の溝３４が形成されている。第１の溝３４は、カバー保持部３２の貫通方向（ハウジング１３の幅方向）の一端から他端に亘って形成されている。また、図５及び図９（ｃ）に示すように、カバー保持部３２の内周面における上下方向の両端部にはそれぞれ、第２の溝３５が形成されている。第２の溝３５は、カバー保持部３２の内側端部３２ａから係合孔３３の貫通方向中央部に形成された段差部３６まで延びている。これら第１の溝３４及び第２の溝３５は、第２ケース１２の幅方向内側から見て、同形状の溝であり、略三角形状をなしている（図５参照）。即ち、カバー保持部３２の中心から第１の溝３４と第２の溝３５の最深部（頂角部）までの距離は、互いに等しく設定されている。
【００３０】
フィルタカバー１７は、略円形をなす外枠部４１と、外枠部４１からフィルタカバー１７の中心部に向かって延びる複数（本実施形態では４本）の支持部４２と、フィルタカバー１７の中心部に形成され支持部４２に支持された挿入係合部４３とを有している。また、フィルタカバー１７は、その支持部４２間に開口４４を有しており、この開口４４が吸気口１３ａへの空気の通り道となっている。
【００３１】
挿入係合部４３は、図６に示すように、一対の延出部４５を有し、フィルタカバー１７がハウジング１３に取り付けられた状態において、延出部４５はハウジング１３の幅方向と平行に延びている。延出部４５の先端部には、その延出方向と直交する方向に突出する係合凸部４５ａが形成されている。この係合凸部４５ａは、第１及び第２の溝３４，３５の形状に対応した三角形状をなしている。また、挿入係合部４３は、係合孔３３における第１及び第２の溝３４，３５以外の部分の形状に対応した円弧形状をなす一対の円弧面４６を有している。
【００３２】
フィルタカバー１７の外枠部４１には、挿入係合部４３と同方向に突出する一対の突起４１ａが形成されている。突起４１ａは、フィルタカバー１７の取付状態において、第１ケース１１の壁面１１ａに形成された円弧状の一対の規制溝１１ｂ内にそれぞれ配置されるようになっている。また、外枠部４１には、周方向において各係合凸部４５ａと同位置に形成された印部４１ｂが形成されている。この印部４１ｂにより、後述のフィルタカバー１７の解除位置（取り外し位置）と固定位置とがわかりやすくなっている。本実施形態では、印部４１ｂは、外枠部４１におけるハウジング１３の幅方向の側面に形成された溝である。また、外枠部４１の外周には、フィルタカバー１７を挿入係合部４３中心に回動させるときの滑り止めとなる複数の凹凸部４１ｃが形成されている。
【００３３】
図１及び図２に示すように、フィルタカバー１７と吸気口１３ａ間には、スポンジ状（海綿状）をなすフィルタ部材１６が保持される。フィルタ部材１６は、フィルタカバー１７の外枠部４１よりも若干小径の円形をなすとともに、その外枠部４１の内側に配置される。フィルタ部材１６の中央部には、挿入係合部４３が挿通される挿通孔１６ａが形成されている。尚、フィルタ部材１６の厚み（ハウジング１３の幅方向の厚み）は、約３ミリ程度に設定されている。フィルタ部材１６は、フィルタカバー１７の開口４４を通過してハウジング１３の吸気口１３ａに吸引される空気に含まれる塵埃等が吸気口１３ａに侵入することを抑制する役割をなす。
【００３４】
フィルタ部材１６及びフィルタカバー１７をハウジング１３に取り付ける際には、まずフィルタ部材１６をフィルタカバー１７に取り付け、そのフィルタカバー１７の挿入係合部４３をカバー保持部３２の係合孔３３に挿入する。尚、このとき、フィルタカバー１７の印部４１ｂを、ハウジング１３の壁面１１ａの前後方向両側に凹設された印部１１ｃに合わすようにして挿入する。ここで、挿入係合部４３の係合凸部４５ａは、カバー保持部３２の第１の溝３４に挿入されて、第１の溝３４の内側端部に位置され（図７（ａ）（ｂ）参照）、フィルタカバー１７の外枠部４１はハウジング１３の壁面１１ａと当接する。この図７（ａ）に示すフィルタカバー１７の位置が解除位置であり、フィルタカバー１７が解除位置にある状態では該フィルタカバー１７をハウジング１３から取り外し可能となっている。
【００３５】
次に、図８（ａ）（ｂ）に示すように、フィルタカバー１７を回動（図８（ａ）中、時計回りに回動）させる。このとき、延出部４５先端の係合凸部４５ａは係合孔３３の内周面と当接し、延出部４５が内側に撓むようになっている。
【００３６】
そして、フィルタカバー１７を解除位置から９０度回動させたとき、図９（ｂ）（ｃ）に示すように、延出部４５の弾性復帰により係合凸部４５ａが第２の溝３５に嵌る。これにより、係合凸部４５ａは、第２の溝３５と周方向に係合されるとともに、係合孔３３の段差部３６とハウジング１３の幅方向に当接する。この図９（ａ）に示すフィルタカバー１７の位置が固定位置である。尚、この固定位置では、フィルタカバー１７の突起４１ａ（図６参照）が壁面１１ａの規制溝１１ｂの周方向端部と周方向に当接し、これにより、フィルタカバー１７が固定位置を越えて反解除位置側に回動してしまうことが抑制されている。
【００３７】
フィルタカバー１７を取り外す際には、上記した取付動作と逆の動作を行う。尚、フィルタカバー１７の解除位置において、フィルタカバー１７の突起４１ａが壁面１１ａの規制溝１１ｂの周方向端部（前記固定位置での周方向端部とは反対の端部）と当接するようになっており、これにより、取り外しの動作においてフィルタカバー１７が解除位置を越えて反固定位置側に回動してしまうことが抑制されている。また、フィルタカバー１７に印部４１ｂが形成されているため、上記したフィルタカバー１７の着脱動作の際に、係合凸部４５ａの位置を把握できるようになっている。
【００３８】
上記したような除電装置では、使用する環境に応じて吸気口１３ａを保護するフィルタ部材１６及びフィルタカバー１７を取り外して使用することが可能となっている（図３（ａ）（ｂ）参照）。ここで、ハウジング１３の吸気口１３ａが形成された壁面１１ａは、フィルタ部材１６及びフィルタカバー１７を取り外した状態において、その面全体が面一（幅方向に突出する箇所がない構成）となるように構成されている。尚、ハウジング１３の壁面１１ａには、電源スイッチ５１や駆動状態確認用の表示灯５２等が壁面１１ａから幅方向に突出しないように設けられており、壁面１１ａは面一となっている。これにより、フィルタ部材１６及びフィルタカバー１７を取り外した状態において、除電装置の幅方向（送風方向と直交する方向）への薄型化が可能となっている。その結果、製造ライン上の加工装置間や加工装置自体の隙間等に、その装置のレイアウトを変更することなく除電装置を配置しやすくなり、設置自由度の向上を図ることができるようになっている。
【００３９】
次に、本実施形態の特徴的な作用効果を記載する。
（１）ハウジング１３の吸気口１３ａには、該吸気口１３ａへの作業者の指の侵入を防ぐための仕切り板３１が形成され、ハウジング１３における吸気口１３ａが形成された壁面１１ａには、吸気口１３ａを覆って塵埃の侵入を抑制するためのフィルタ部材１６及び該フィルタ部材１６を保持するためのフィルタカバー１７が着脱可能に設けられるとともに、該壁面１１ａはフィルタ部材１６及びフィルタカバー１７を外した状態において、その面全体が面一となるように構成される。これにより、ハウジング１３における吸気口１３ａが形成された壁面１１ａが送風方向と直交する方向（吸気方向と平行な方向であって、幅方向）に突出する箇所がないように形成されるため、フィルタ部材１６及びフィルタカバー１７を外した状態で送風方向と直交する方向への薄型化が可能となる。従って、製造ライン上の加工装置間や加工装置自体の隙間等に、その装置のレイアウトを変更することなく除電装置を配置しやすくなり、設置自由度の向上を図ることができる。また、フィルタ部材１６及びフィルタカバー１７を外した状態においては、仕切り板３１によって吸気口内への作業者の指の侵入を防がれるため、安全に使用することができる。
【００４０】
（２）フィルタカバー１７は、ハウジング１３における吸気口１３ａが形成された壁面１１ａに形成された係合孔３３とフィルタカバー１７に設けられた挿入係合部４３との係合により、ハウジング１３に対して取り付けられ、係合孔３３及び挿入係合部４３は、シロッコファン１５の吸気口１３ａ側の凹部に位置するように構成される。即ち、ハウジング１３の吸気口１３ａが形成された壁面１１ａにおけるシロッコファン１５の回転軸上の位置には、フィルタカバー１７の取り付け用の係合孔３３が形成される。そして、シロッコファン１５は、中心部が吸気口１３ａ側に窪んだ構成であり、ハウジング１３の係合孔３３にフィルタカバー１７の挿入係合部４３を係合させた状態において、その係合孔３３及び挿入係合部４３がシロッコファン１５の円形凹部１５ｂに位置する。これにより、ハウジング１３の係合孔３３とフィルタカバー１７の挿入係合部４３によって除電装置が送風方向と直交する方向に大型化しない構成とすることができるとともに、ハウジング１３側に係合孔３３が形成されるため、ハウジング１３の吸気口１３ａが形成された壁面１１ａを面一としつつもフィルタカバー１７の取り付けが可能となる。
【００４１】
（３）係合孔３３及び挿入係合部４３は、シロッコファン１５の回転中心軸上に設けられるため、シロッコファン１５の回転中心軸上の円形凹部１５ｂに対応する部分に係合孔３３及び挿入係合部４３を配置でき、その結果、除電装置を吸気方向に小型化することが可能となる。
【００４２】
（４）フィルタカバー１７は、ハウジング１３に対して該ハウジング１３から取り外し可能な解除位置に組み付けた後、ハウジング１３から脱落可能な固定位置に移動させることで固定されるとともに、固定位置から解除位置に移動させた後にハウジング１３から取り外すように構成される。そして、フィルタカバー１７には、固定位置及び解除位置でハウジング１３の壁面１１ａに形成された規制溝１１ｂと干渉してフィルタカバー１７の固定位置よりも反解除位置側への移動及び解除位置よりも反固定位置側への移動を規制する突起４１ａが設けられる。これにより、フィルタカバー１７の着脱の際に、そのフィルタカバー１７の突起４１ａが固定位置又は解除位置でのストッパーとなるため、フィルタカバー１７を容易に着脱することができる。
【００４３】
（５）フィルタカバー１７は、シロッコファン１５の回転軸中心に回動可能に設けられ、その回転軸中心の回動により解除位置と固定位置との間を移動するように構成されるため、フィルタカバー１７をハウジング１３に対してより容易に着脱させることが可能となる。
【００４４】
（６）ハウジング１３における吸気口１３ａが形成された壁面１１ａ及びフィルタカバー１７には、フィルタカバー１７の解除位置及び固定位置を示すための印部１１ｃ印部４１ｂ（教示手段）がそれぞれ設けられる。これにより、フィルタカバー１７の解除位置及び固定位置が分かりやすくなり、フィルタカバー１７をハウジング１３に対してより容易に着脱させることが可能となる。
【００４５】
（７）フィルタカバー１７の外枠部４１の外周面には、該フィルタカバー１７を解除位置と固定位置との間で移動させる際の滑り止め用の凹凸部４１ｃが設けられる。これにより、フィルタカバー１７を解除位置と固定位置との間で移動させる際に滑りにくくなるため、フィルタカバー１７をハウジング１３に対してより容易に着脱させることが可能となる。
【００４６】
尚、本発明の実施形態は、以下のように変更してもよい。
・上記実施形態では、フィルタカバー１７を回動させて解除位置及び固定位置間を移行させるように構成したが、特にこれに限定されるものではなく、例えばフィルタカバー１７を直線的に移動（スライド）させて解除位置及び固定位置間を移行させるように構成してもよい。また、これ以外に例えば、フィルタカバー１７をねじ等により壁面１１ａに固定する構成としてもよい。
【００４７】
・上記実施形態では、吸気口１３ａ、フィルタ部材１６及びフィルタカバー１７を円形としたが、それぞれ構成に応じて形状を適宜変更してもよい。
・上記実施形態では、仕切り板３１は、前後方向に延びる部分（仕切り板３１ａ）と、カバー保持部３２の中心から略放射状に延びる部分（仕切り板３１ｂ）とが互いに交差するように構成されたが、これ以外に例えば、仕切り板３１ａだけで構成してもよく、また、仕切り板３１ｂの数を増やして仕切り板３１ａがない構成としてもよい。
【００４８】
・上記実施形態の係合孔３３及び挿入係合部４３の構成は、構成に応じて適宜変更してもよい。
・上記実施形態では、ハウジング側係合部としての係合孔３３を吸気方向に貫通する構成としたが、これ以外に例えば、その内側端部を閉塞してハウジング側係合部を貫通しない凹部としてもよい。
【００４９】
・上記実施形態では、係合孔３３及び挿入係合部４３をシロッコファン１５の回転中心軸上に設けたが、これ以外に例えば、吸気口１３ａ中のシロッコファン１５の回転中心軸から外れる部分や、ハウジング１３の壁面１１ａにおける吸気口１３ａ以外の部分に設けてもよい。
【００５０】
・上記実施形態では、フィルタカバー１７の突起４１ａがハウジング１３の壁面１１ａの規制溝１１ｂと干渉し、フィルタカバー１７は固定位置及び解除位置で移動が規制されるように構成したが、これ以外に例えば、突起４１ａと規制溝１１ｂとの干渉によってフィルタカバー１７の移動が完全には規制されない構成（例えば、突起４１ａが規制溝１１ｂに軽く引っ掛かる程度に干渉する構成）としてもよい。この構成によっても、フィルタカバー１７の着脱の際、突起４１ａと規制溝１１ｂとの引っ掛かりによってフィルタカバー１７の固定位置と解除位置を認識できるため、フィルタカバー１７を容易に着脱することができる。
【００５１】
上記実施形態では、フィルタカバー１７には、ハウジング１３の壁面１１ａに形成された規制溝１１ｂと干渉してフィルタカバー１７の固定位置よりも反解除位置側への移動及び解除位置よりも反固定位置側への移動を規制する突起４１ａが設けられたが、これ以外に例えば、吸気口１３ａの仕切り板３１と干渉してフィルタカバー１７の固定位置よりも反解除位置側への移動及び解除位置よりも反固定位置側への移動を規制する係合突起部をフィルタカバー１７に設けてもよい。この構成によれば、フィルタカバー１７の着脱の際に、そのフィルタカバー１７の係合突起部が仕切り板３１と干渉して固定位置又は解除位置でのストッパーとなるため、フィルタカバー１７を容易に着脱することができる。また、フィルタカバー１７の係合突起部が仕切り板３１と干渉するように構成されるため、係合突起部を干渉させるための部位をハウジング１３に仕切り板３１とは別に形成する必要がなく、成形が容易となる。
【００５２】
また、例えば、係合突起部と仕切り板３１との干渉によってフィルタカバー１７の移動が完全には規制されない構成（例えば、係合突起部が仕切り板３１に軽く引っ掛かる程度に干渉する構成）としてもよい。この構成によっても、フィルタカバー１７の着脱の際、係合突起部と仕切り板３１との引っ掛かりによってフィルタカバー１７の固定位置と解除位置を認識できるため、フィルタカバー１７を容易に着脱することができる。
【００５３】
次に、上記実施形態及び別例から把握できる技術的思想を以下に追記する。
（イ）  請求項１〜３のいずれか１項に記載の除電装置において、
前記フィルタカバーは、前記ハウジングに対して該ハウジングから取り外し可能な解除位置に組み付けた後、前記ハウジングから脱落可能な固定位置に移動させることで固定されるとともに、前記固定位置から前記解除位置に移動させた後に前記ハウジングから取り外すように構成され、
前記フィルタカバーには、前記固定位置及び前記解除位置で前記ハウジングの壁面に形成された規制溝と干渉して前記フィルタカバーの前記固定位置よりも反解除位置側への移動及び前記解除位置よりも反固定位置側への移動を規制する突起が設けられたことを特徴とする除電装置。
【００５４】
これにより、フィルタカバーの着脱の際に、そのフィルタカバーの突起が固定位置又は解除位置でのストッパーとなるため、フィルタカバーを容易に着脱することができる。
（ロ）  付記（イ）に記載の除電装置において、
前記フィルタカバーは、前記シロッコファンの回転軸中心に回動可能に設けられ、その回転軸中心の回動により前記解除位置と前記固定位置との間を移動するように構成されたことを特徴とする除電装置。
【００５５】
これにより、フィルタカバーをハウジングに対してより容易に着脱させることが可能となる。
（ハ）  請求項４及び付記（イ）及び（ロ）のいずれか１項に記載の除電装置において、
前記ハウジングにおける前記吸気口が形成された壁面及び前記フィルタカバーには、前記フィルタカバーの前記解除位置及び前記固定位置を示すための教示手段がそれぞれ設けられたことを特徴とする除電装置。
【００５６】
これにより、フィルタカバーの解除位置及び固定位置が分かりやすくなり、フィルタカバーをハウジングに対してより容易に着脱させることが可能となる。
（ニ）  請求項４及び付記（イ）、（ロ）及び（ハ）のいずれか１項に記載の除電装置において、
前記フィルタカバーの側面には、該フィルタカバーを前記解除位置と前記固定位置との間で移動させる際の滑り止め用の凹凸部が設けられたことを特徴とする除電装置。
【００５７】
これにより、フィルタカバーを解除位置と固定位置との間で移動させる際に滑りにくくなるため、フィルタカバーをハウジングに対してより容易に着脱させることが可能となる。
【符号の説明】
【００５８】
１１ａ…壁面、１３…ハウジング、１３ａ…吸気口、１３ｂ…送風口、１４…イオン発生部としての放電ユニット、１５…シロッコファン、１５ｂ…円形凹部、１６…フィルタ部材、１７…フィルタカバー、３１，３１ａ，３１ｂ…仕切り板、３３…ハウジング側係合部としての係合孔、４１ｃ…凹部、４３…挿入係合部。
【図１】
2011113955.tif 000003
【図２】
2011113955.tif 000004
【図３】
2011113955.tif 000005
【図４】
2011113955.tif 000006
【図５】
2011113955.tif 000007
【図６】
2011113955.tif 000008
【図７】
2011113955.tif 000009
【図８】
2011113955.tif 000010
【図９】
2011113955.tif 000011